(57)【要約】【課題】装着したままで鉛筆やカッターなどの作業用品を容易に取出し、また収納することのできる収納部を備えた作業用革手袋を提供する。【解決手段】少なくとも、手袋本体１の掌部が革製であり、甲部の手首部分２に切欠部３を形成して手首部分を大きく開口自在とし、かつ、切欠部の一方側端部から突設したヒレ片４の下面に設けた第一ファスナーバンド５を、切欠部の他方側端部の上面に設けた第二ファスナーバンド６に着脱自在とした開放部７を有する作業用革手袋において、手袋本体の甲部に、鉛筆、カッターあるいは手ばさみなどの作業用品Ｓの一部または全部を収納することのできる筒状の収納部１０を設ける。【選択図】  図１
2006132004.tif 000002
【特許請求の範囲】
【請求項１】
少なくとも，手袋本体（１）の掌部が革製である作業用革手袋において、
前記手袋本体の甲部に，鉛筆，カッターあるいは手ばさみなどの作業用品（Ｓ）の一部または全部を収納することのできる筒状の収納部（１０）を設けてなる収納部付き作業用革手袋。
【請求項２】
少なくとも，手袋本体（１）の掌部が革製であり，甲部の手首部分（２）に切欠部（３）を形成して前記手首部分を大きく開口自在とし，かつ，前記切欠部の一方側端部から突設したヒレ片（４）の下面に設けた第一ファスナーバンド（５）を，前記切欠部の他方側端部の上面に設けた第二ファスナーバンド（６）に着脱自在とした開放部（７）を有する作業用革手袋において、
前記手袋本体の甲部に，鉛筆，カッターあるいは手ばさみなどの作業用品（Ｓ）の一部または全部を収納することのできる筒状の収納部（１０）を設けてなる収納部付き作業用革手袋。
【請求項３】
少なくとも，手袋本体（１）の掌部が革製であり，甲部の手首部分（２）に切欠部（３）を形成して前記手首部分を大きく開口自在とし，かつ，前記切欠部の一方側端部から突設したヒレ片（４）の下面に設けた第一ファスナーバンド（５）を，前記切欠部の他方側端部の上面に設けた第二ファスナーバンド（６）に着脱自在とした開放部（７）を有する作業用革手袋において、
前記ヒレ片の上面に，鉛筆，カッターあるいは手ばさみなどの作業用品（Ｓ）の一部または全部を収納することのできる筒状の収納部（１０）を設けてなる収納部付き作業用革手袋。
【請求項４】
収納部（１０）を，薄板状の基板（１２）と，収納本体（１１）とで構成し、
少なくともその挿入口部分では，前記基板に，収納本体よりも外側に位置する外側部（１２ａ）を形成し、
かつ，前記収納本体は，開放もしくは密閉形状とし、
少なくとも，前記収納本体を弾力性に富み，かつ，滑り止め効果の高い高分子材料で形成してなる請求項１、２または３に記載の収納部付き作業用革手袋。
【請求項５】
収納部（１０）を，薄板状の基板（１２）と，収納本体（１１）とで構成し、収納本体（１１）の外面に挿入口用スロット（１４）を設け且つ
少なくともその挿入口部分では，前記基板に，収納本体よりも外側に位置する外側部（１２ａ）を形成し、
かつ，前記収納本体は，四周辺はスロット部を除き又は含んで密閉形状とし、
少なくとも，前記収納本体を弾力性に富み，かつ，滑り止め効果の高い高分子材料で形成してなる請求項１，２または３に記載の収納部付き作業用革手袋。
【請求項６】
収納部（１０）の少なくとも基板（１２）を、磁性を持たせた素材を組合せて形成してなる請求項１〜５のいずれかに記載の収納部付き作業用革手袋。
【発明の詳細な説明】
【技術分野】
【０００１】
本発明は、鉛筆、カッター、手ばさみなどの作業用品を収納する筒状の収納部を備えた作業用革手袋に関するものである。
【背景技術】
【０００２】
従来から、天然皮革や合成皮革によって形成した作業用革手袋が多く使用されている。こうした作業用革手袋は、強靱で破れ難く、かつ、滑り難いといった特徴を有する。また、作業用ゴム手袋などと異なり、手にフィットして馴染み易いので、特に薄手の場合には細かい作業を行うこともできるといった特徴を持つ。
【発明の開示】
【発明が解決しようとする課題】
【０００３】
作業用革手袋を装着して各種の作業を行う場合、一般に、鉛筆やボールペン、カッター、あるいは手ばさみなどの作業用品を使用する必要が多々あるが、そうした作業用品は、通常、作業着のポケット等に収納している。
【０００４】
こうした、鉛筆やカッターなどの作業用品を作業着のポケット等に収納した場合、作業用革手袋を装着したまま、そうした作業用品を取り出すことは、当該作業用革手袋が手に馴染み易いとは言え、素手で行う場合のように容易に行うことができず、案外厄介で手間取る。従って、作業用革手袋を一旦外して作業用品を取り出し、再び、装着するといった面倒な動作が要求される。この作業用革手袋は、手にフィットするため、その脱着がゴム手袋などと比較して厄介であり、作業中の頻繁な脱着は作業効率の低下につながってしまう。
【０００５】
本発明はこうした問題に鑑み創案されたもので、装着したままで鉛筆やカッターなどの作業用品を容易に取出し、また収納することのできる収納部を備えた作業用革手袋を提供することを課題とする。
【課題を解決するための手段】
【０００６】
図１乃至図１５を参照して説明する。請求項１に記載の収納部付き作業用革手袋は、少なくとも、手袋本体１の掌部が革製である作業用革手袋において、前記手袋本体１の甲部に、鉛筆、カッターあるいは手ばさみなどの作業用品Ｓの一部または全部を収納することのできる筒状の収納部１０を設けてなるものである。
【０００７】
請求項２に記載の収納部付き作業用革手袋は、少なくとも、手袋本体１の掌部が革製であり、甲部の手首部分２に切欠部３を形成して前記手首部分２を大きく開口自在とし、かつ、前記切欠部３の一方側端部から突設したヒレ片４の下面に設けた第一ファスナーバンド５を、前記切欠部３の他方側端部の上面に設けた第二ファスナーバンド６に着脱自在とした開放部７を有する作業用革手袋において、前記手袋本体１の甲部に、鉛筆、カッターあるいは手ばさみなどの作業用品Ｓの一部または全部を収納することのできる筒状の収納部１０を設けてなるものである。
【０００８】
なお、第一ファスナーバンド５および第二ファスナーバンド６は、面ファスナーで構成することができる。
【０００９】
請求項３に記載の収納部付き作業用革手袋は、少なくとも、手袋本体１の掌部が革製であり、甲部の手首部分２に切欠部３を形成して前記手首部分２を大きく開口自在とし、かつ、前記切欠部３の一方側端部から突設したヒレ片４の下面に設けた第一ファスナーバンド５を、前記切欠部３の他方側端部の上面に設けた第二ファスナーバンド６に着脱自在とした開放部７を有する作業用革手袋において、前記ヒレ片４の上面に、鉛筆、カッターあるいは手ばさみなどの作業用品Ｓの一部または全部を収納することのできる筒状の収納部１０を設けてなるものである。
【００１０】
請求項４に記載の収納部付き作業用革手袋は、請求項１乃至３に記載の発明において、収納部１０を、薄板状の基板１２と、収納本体１１とで構成し、少なくともその挿入口部分では、前記基板１２に、収納本体１１よりも外側に位置する外側部１２ａを形成し、かつ、前記収納本体１１は、開放もしくは密閉形状とし、少なくとも、前記収納本体１１を弾力性に富み、かつ、滑り止め効果の高い高分子材料で形成してなるものである。弾力性に富み、滑り止め効果の高い高分子材料としては、塩ビ、ゴム、ウレタンなどがある。
【００１１】
請求項５に記載の収納部付き作業用革手袋は、請求項１乃至３に記載の発明において、収納部１０を、薄板状の基板１２と、収納本体１１とで構成し、収納本体１１の外面に挿入口用スロット１４を設け且つ、少なくともその挿入口部分では、前記基板１２に、収納本体１１よりも外側に位置する外側部１２ａを形成し、かつ、前記収納本体１１は、四周辺はスロット部を除き又は含んで密閉形状とし、少なくとも、前記収納本体１１を弾力性に富み、かつ、滑り止め効果の高い高分子材料で形成してなるものである。弾力性に富み、滑り止め効果の高い高分子材料としては、塩ビ、ゴム、ウレタンなどがある。
【００１２】
請求項６に記載の収納部付き作業用革手袋は、請求項１〜５に記載の発明において、収納部１０の少なくとも基板１２を、磁性を持たせた素材を組合わて形成してなるものである。
【発明の効果】
【００１３】
請求項１に記載の収納部付き作業用革手袋は、手袋本体１の甲部に、鉛筆、カッターあるいは手ばさみなどの作業用品Ｓの一部または全部を収納することのできる筒状の収納部１０を設けたので、他方の手に作業用革手袋を装着したままでも、当該収納部１０に収納している作業用品Ｓを引き抜いて容易に取出すことができる。また、収納部１０に差込むことによって、容易に収納することができる。
【００１４】
請求項２に記載の収納部付き作業用革手袋は、請求項１に記載の発明と同様に、手袋本体１の甲部に作業用品Ｓを収納することのできる筒状の収納部１０を設けたので、他方の手に作業用革手袋を装着したままでも、作業用品Ｓを収納部１０から容易に取出し、また、収納することができる。
【００１５】
なお、この作業用革手袋は、甲部の手首部分２に切欠部３を形成して当該手首部分２を大きく開口自在とし、かつ、切欠部３の一方側端部から突設したヒレ片４の下面に設けた第一ファスナーバンド５を、切欠部３の他方側端部の上面に設けた第二ファスナーバンド６に着脱自在とした開放部７を有するので、第一ファスナーバンド５と第二ファスナーバンド６を離脱させて解放部７を大きく開口させることによって、容易に脱着することができる。また、装着後では、解放部７を手首に合わせて閉めた状態で、第一ファスナーバンド５と第二ファスナーバンド６を係着させることによって、手に密着させることができる。
【００１６】
請求項３に記載の収納部付き作業用革手袋は、切欠部３の一方側端部から立設したヒレ片４の上面に作業用品Ｓを収納することのできる筒状の収納部１０を設けたので、請求項１および２に記載の発明と同様に、作業用品Ｓの取出しおよび収納を、作業用革手袋を装着した他方の手で容易に行うことができる。
【００１７】
また、この作業用革手袋は、請求項２に記載の発明と同様に、手袋本体１に切欠部３を設けたので、解放部７を大きく開口することによって容易な脱着が可能となる。また、装着後は、第一ファスナーバンド５と第二ファスナーバンド６を係着させることによって、手に密着させることができる。
【００１８】
請求項４に記載の収納部付き作業用革手袋は、収納部１０を、塩ビやゴムあるいはウレタンなどの弾力性に富み、かつ、滑り止め効果の高い高分子材料で形成したので、作業用品Ｓの取出しおよび収納をきわめて容易に行うことができ、収納時においては強く保持することができる。
【００１９】
すなわち、作業用品Ｓを筒状の収納部１０に差込むだけで、この収納部１０が弾性変形して拡張し、当該作業用品Ｓを容易に受入れる。また、受入れ後は、その弾性収縮力と滑り止め効果によって作業用品Ｓを強く保持する。さらに、作業用品Ｓを引抜くと、収納部１０が弾性変形して拡張するので、容易に取り出すことができる。
【００２０】
また、収納部１０には、少なくともその挿入口部分において、基板１２に収納本体１１よりも外側に位置する外側部１２ａを形成したので、作業用品Ｓを収納本体１１に挿入する際に、誤って、その先端部を収納本体１１から外しても、当該先端部は基板の外側部１２ａによって受け止められるので、甲部を傷付けることがない。
【００２１】
そして、この収納部１０は、出口側を開放形状または密閉形状としているので、例えば、先端が鋭利で危険を伴うものでない作業用品Ｓを収納する場合には開放形状のものを使用し、手ばさみ等の先端部が鋭利で危険を伴う作業用品Ｓを収納する場合は密閉形状のものを使用することができる。これにより、あらゆる種類の作業用品Ｓを確実かつ安全に収納することができる。
【００２２】
請求項５に記載の収納部付き作業用革手袋は、収納部１０を、塩ビやゴムあるいはウレタンなどの弾力性に富み、かつ、滑り止め効果の高い高分子材料で形成したので、作業用品Ｓの取出し及び収納をきわめて容易に行うことができ、収納時においては、安全に強く保持することができる。
【００２３】
すなわち、作業用品Ｓを筒状の収納部１０にスロット１４を介して完全に没入させるので、きわめて安全である。
【００２４】
請求項６に記載の収納部付き作業用革手袋は、収納部１０の少なくとも基板１２を、磁性を持たせた素材で形成したので、例えば、金属製の手ばさみを収納する場合には、当該手ばさみを基板１２の磁力によっても保持することができる。従って、作業用品Ｓを、さらに強固に保持することができる。
【発明を実施するための最良の形態】
【００２５】
本発明に係る収納部付き作業用革手袋の第一実施形態を、１乃至図４に示す。これは、左手用の作業用革手袋であり、手袋本体１を天然皮革と合成皮革および布メリヤス等の組合せ片を縫合して形成したものであり、甲部の手首部分２に切欠部３を形成してこの手首部分２の解放部７を大きく開口自在としている。また、切欠部３の一方側端部からヒレ片４を突設し、その下面に第一ファスナーバンド５を固着し、切欠部３の他方側端部の上面に、第一ファスナーバンド５が着脱する第二ファスナーバンド６を固着している。この第一ファスナーバンド５および第二ファスナーバンド６は、面ファスナーで構成している。
【００２６】
そして、手袋本体１の甲部に、鉛筆、カッターあるいは手ばさみなどの作業用品Ｓの一部を収納することのできる収納部１０を設けている。この収納部１０は、その少なくとも収納本体１１が高分子弾性体であり、薄板状の基板１２に偏平筒形状の当該収納本体１１を接着または縫合して形成したり（図３参照）、インジェクションなどで金型内で一体成形したもの（図４参照）である。この収納部１０は、基板１２を手袋本体１に縫合して固定している。基板１２の平面形状は収納本体１１のそれより大きく形成して外側部１２ａを設けており、これにより、例えば、鉛筆を収納本体１１に差込む際に誤ってその鋭利な先端部を甲部に突き刺しても、その先端部が手に到達するのを基板１２によって阻止している。
【００２７】
本実施形態における収納部付き作業用革手袋は、左手用の手袋本体１の甲部に偏平筒形状の収納部１０を設けているので、作業用革手袋を装着した右手で、収納部１０に収納している作業用品Ｓを容易に引き抜いて取出し、また、差込んで収納することができる。
【００２８】
なお、この作業用革手袋は、手袋本体１に切欠部３を形成して手首部分２に大きく開口する解放部７を形成しているので、脱着が容易である。また、切欠部３の一方側端部から突設したヒレ片４に第一ファスナーバンド５を固着し、他方側端部に第二ファスナーバンド６を固着しているので、装着後においては、第一ファスナーバンド５と第二ファスナーバンド６を係着することによって、より手に密着させることができる。なお、手首部分２に切欠部３を設ける代わりに、織りゴムを用いて手首部分２の開口を容易にすることもできる。
【００２９】
また、この収納部１０は高分子弾性素材であるため、弾力性と滑り止め効果に優れる。従って、作業用品Ｓを差込む際、および引き抜く際は共に、特に収納本体１１が弾性変形して拡張するので当該差込みおよび引抜きを容易に行うことができる。また、収納時では、作業用品Ｓをその弾力および滑り止め効果によって強く狭持するので、滑り落ちを未然に防止し、安定姿勢で強固に保持することができる。
【００３０】
なお、上記実施形態における収納本体１１の出口側は開放形状としているが、それに代えて、図５及び図４に示すような密閉形状とすることもできる。
【００３１】
本発明に係る収納部付き作業用革手袋の第二実施形態を、図６乃至図１０に示す。これは、手袋本体１の掌部全体および甲部の指先部分を天然皮革で構成し、他の部分をメリヤスで構成し、両者を縫合したものである。
【００３２】
本実施形態においても、甲部の手首部分２に切欠部３を形成して前記手首部分２を大きく開口自在とした解放部７とし、かつ、切欠部３の一方側端部から突設したヒレ片４の下面に設けた第一ファスナーバンド５を、切欠部３の他方側端部の上面に設けた第二ファスナーバンド６に着脱自在としている。そして、切欠部３の一方側端部のヒレ片４の上面に作業用品Ｓの一部を収納することのできる筒状の収納部１０を設けている。この収納部１０も、高分子弾性素材で、薄板状の基板１２と収納本体１１とで構成している。
【００３３】
なお、収納部１０は、図８に示すように、断面楕円形状の収納本体１１と平板状の基板１２とを別体成形して接着、溶着あるいは縫合して形成することができる他、図９に示すように、両者を一体成形したり、図１０に示すように、断面略皿形状の収納本体１１をヒレ片４に接着、融着あるいは縫合するなどして形成することもできる。この場合、ヒレ片４の外側部分が基板１２の外側部１２ａのはたらきをする。
【００３４】
本実施形態においては、ヒレ片４に偏平筒形状の収納部１０を設けたので、作業用革手袋を装着した他方の手で作業用品Ｓを容易に引き抜いて取出し、また、差し込んで収納することができる。
【００３５】
なお、この作業用革手袋は、本実施形態で示すように、収納部１０を手首部分２に位置するヒレ片４に設けるときは、ヒレ片４を基板１２として利用し、高分子弾性素材で形成した収納本体１１とで当該収納部１０を形成することができる。この場合、例えば、図１３に示すように、水平板状のゴムシートや織りゴムなどの弾性板状材１３の一端を、ヒレ片４の一方側端に縫い付け、ループを形成した状態で、他端を、ヒレ片４の他方側端に縫い付けることによっても、収納部１０を形成することができる。また、収納部１０をファスナーバンド５と組合せることによってその下地部分をより堅固とすることができるので、革手袋をより薄くて軟質な素材で構成する場合に、当該収納部１０を甲部に設ける場合と比較して、適している。また収納部１０を、薄板状の基板１２と、収納本体１１とで構成し、収納本体１１の外面に挿入口用スロット１４を設け且つ、少なくともその挿入口部分では、前記基板１２に、収納本体１１よりも外側に位置する外側部１２ａを形成し、かつ、前記収納本体１１は、四周辺は密閉形状とし、少なくとも、前記収納本体１１を弾力性に富み、かつ、滑り止め効果の高い高分子材料で形成すれば、作業用品Ｓの収納をきわめて安全に行うことができ、収納時においては強く保持することができる。
【００３６】
また、収納部１０を高分子弾性素材で形成したので、弾力性と滑り止め効果に優れ、作業用品Ｓの取出し、差込みを容易に行うことができる。また、作業用品Ｓを脱落させることなく強固に保持することができる。
【００３７】
なお、この作業用革手袋における手袋本体１は、その甲部の多くをメリヤスで構成すれば、その優れた伸縮性によって脱着が容易である。また、メリヤスは伸縮性に富むので、ヒレ片４を設けず、第一ファスナーバンド５を切欠部３の一方側端部の下面に設けることも可能である。
【００３８】
なお、上記第一および第二実施形態においては、収納部１０を手の指に対して直角方向に設けているが、本発明はこれに限定されるものではなく、図１１および図１２に示すように、手の指に対して垂直方向あるいは斜め方向に設けることもできる。
【００３９】
さらに、基板１２の素材に磁性を持たせたものを使用すれば、手ばさみ等の金属類を収納する際にはその磁力で保持力を高めることができる。
【００４０】
また、収納部１０およびその収納空間部分の形状や数は限定されず、また、形成位置や設置数も限定されない。さらに、収納部１０は、左手用または右手用あるいは両方の手袋本体１に形成することができる。
【００４１】
なお、上記実施形態では、収納部１０の取付け手段として縫合を示したが、その他、接着や融着によって取付けることもできる。
【００４２】
この収納部１０の取付方法を、手袋側には面ファスナーＡ、収納部１０の底面側には面ファスナーＢを取付ける方法とすれば、作業の用途に応じて収納部の形状を替えて使用することも出来る。
【産業上の利用可能性】
【００４３】
なお、本発明は、作業用の革手袋のみでなく、一般用の革手袋にも適用することができる。
【図面の簡単な説明】
【００４４】
【図１】本発明に係る収納部付き作業用革手袋の第一実施形態を示す平面図である（解放部を閉じた状態）。
【図２】図１に示す作業用革手袋の解放部を開けた状態を示す平面図である。
【図３】収納部の実施形態を示すもので、図１のＡ−Ａ線断面図である。
【図４】収納部の他の実施形態を示すもので、図１のＡ−Ａ線断面図である。
【図５】本発明の第一実施形態に関連する他の実施形態を示す平面図である。
【図６】本発明に係る収納部付き作業用革手袋の第二実施形態を示す平面図である（解放部を閉じた状態）。
【図７】図６に示す作業用革手袋の解放部を開けた状態を示す平面図である。
【図８】収納部の実施形態を示すもので、図６のＢ−Ｂ線断面図である。
【図９】収納部の他の実施形態を示すもので、図６のＢ−Ｂ線断面図である。
【図１０】収納部のさらに他の実施形態を示すもので、図６のＢ−Ｂ線断面図である。
【図１１】本発明に係る収納部付き作業用革手袋の他の実施形態を示す平面図である。
【図１２】本発明に係る収納部付き作業用革手袋のさらに他の実施形態を示す平面図である。
【図１３】本発明に係る収納部付き作業用革手袋のさらに他の実施形態を示す斜視図である。
【図１４】作業用品Ｓの全部を収納する実施形態を示す平面図である。
【図１５】（ａ）は収納部の実施形態を示すもので、図１３のＣ−Ｃ’線断面図である。  （ｂ）は作業用品を完納した状態を示す。  （ｃ）は作業用品の上部を突出させた状態を示す。
【符号の説明】
【００４５】
１      手袋本体
２      手首部分
３      切欠部
４      ヒレ片
５      第一ファスナーバンド
６      第二ファスナーバンド
７      解放部
１０    収納部
１１    収納本体
１２    基板
１２ａ  外側部
１３    弾性板状材
１４    スロット
Ｓ      作業用品
【図１】
2006132004.tif 000003
【図２】
2006132004.tif 000004
【図３】
2006132004.tif 000005
【図４】
2006132004.tif 000006
【図５】
2006132004.tif 000007
【図６】
2006132004.tif 000008
【図７】
2006132004.tif 000009
【図８】
2006132004.tif 000010
【図９】
2006132004.tif 000011
【図１０】
2006132004.tif 000012
【図１１】
2006132004.tif 000013
【図１２】
2006132004.tif 000014
【図１３】
2006132004.tif 000015
【図１４】
2006132004.tif 000016
【図１５】
2006132004.tif 000017